(57)【要約】    【課題】  伸縮自在の横排出オーガにおいて、摺動案内ローラや移動オーガ筒の耐久性が低い点。    【構成】  グレンタンク４内の穀粒を排出する縦揚穀装置５に接続した固定オーガ７に手動操作により長さ方向に伸縮自在に移動オーガ８を取付けて横排出オーガ６を構成し、前記固定オーガ７の固定オーガ筒９の先端には横排出オーガ６内に設けたオーガ螺旋の搬送方向中間部を軸装する中間側軸受部１１を設け、該中間側軸受部１１またはその付近の固定オーガ筒９には、移動オーガ筒１４の摺動を支持案内する横軸６１回転の摺動案内ローラ６０を設け、該摺動案内ローラ６０は横軸６１に軸装した金属ローラ６２の前記移動オーガ筒１４との接触面を合成樹脂層６３により被覆して構成した穀物排出装置。【選択図】    図１８
2005040090.tif 000002
【特許請求の範囲】
【請求項１】
グレンタンク４内の穀粒を排出する縦揚穀装置５に接続した固定オーガ７に手動操作により長さ方向に伸縮自在に移動オーガ８を取付けて横排出オーガ６を構成し、前記固定オーガ７の固定オーガ筒９の先端には横排出オーガ６内に設けたオーガ螺旋の搬送方向中間部を軸装する中間側軸受部１１を設け、該中間側軸受部１１またはその付近の固定オーガ筒９には、移動オーガ筒１４の摺動を支持案内する横軸６１回転の摺動案内ローラ６０を設け、該摺動案内ローラ６０は横軸６１に軸装した金属ローラ６２の前記移動オーガ筒１４との接触面を合成樹脂層６３により被覆して構成した穀物排出装置。
【請求項２】
グレンタンク４内の穀粒を排出する縦揚穀装置５に接続した固定オーガ７に手動操作により長さ方向に伸縮自在に移動オーガ８を取付けて横排出オーガ６を構成し、前記固定オーガ７の固定オーガ筒９の先端には横排出オーガ６内に設けたオーガ螺旋の搬送方向中間部を軸装する中間側軸受部１１を設け、該中間側軸受部１１またはその付近の固定オーガ筒９には、移動オーガ筒１４の摺動を支持案内する横軸６１回転の摺動案内ローラ６０を設け、該摺動案内ローラ６０の外周は該摺動案内ローラ６０の母線方向において前記移動オーガ筒１４の内周面に合わせた円弧面に形成した穀物排出装置。
【請求項３】
グレンタンク４内の穀粒を排出する縦揚穀装置５に接続した固定オーガ７に手動操作により長さ方向に伸縮自在に移動オーガ８を取付けて横排出オーガ６を構成し、前記固定オーガ７の固定オーガ筒９の先端には横排出オーガ６内に設けたオーガ螺旋の搬送方向中間部を軸装する中間側軸受部１１を設け、該中間側軸受部１１またはその付近の固定オーガ筒９には、移動オーガ筒１４の摺動を支持案内する横軸６１回転の摺動案内ローラ６０を設け、該摺動案内ローラ６０は横軸６１に軸装した金属ローラ６２の前記移動オーガ筒１４との接触面を合成樹脂層６３により被覆して構成し、前記摺動案内ローラ６０の外周は該摺動案内ローラ６０の母線方向において前記移動オーガ筒１４の内周面に合わせた円弧面に形成した穀物排出装置。
【発明の詳細な説明】
【技術分野】
【０００１】
本発明は、グレンタンクに一時貯留させた穀物を排出させる横排出オーガであって、手動操作により長さ方向に伸縮させて先端の排出口の位置を変更可能にしたコンバインの穀物排出装置に係るものである。
【背景技術】
【０００２】
従来、グレンタンク内の穀粒を排出する縦揚穀装置に横排出オーガを接続し、横排出オーガは基部側の固定オーガに対して先端側の移動オーガを長さ方向に伸縮自在に取付け、手動操作により長さを変更自在に構成している。
固定オーガ筒の先端には筒状のガイド部材を設けているが、ガイド部材は移動オーガ筒の内面と面接触し、接触抵抗が大きい。
【特許文献１】特開平１１−１６８９６４号公報（３頁、図２０）。
【発明の開示】
【発明が解決しようとする課題】
【０００３】
伸縮自在の横排出オーガにおいて、伸縮の操作の過大な抵抗、移動オーガ筒の耐久性が低い点である。
【課題を解決するための手段】
【０００４】
本願は、摺動案内ローラ６０や移動オーガ筒１４の耐久性を向上させるために、摺動案内ローラ６０の外周に合成樹脂層を設けて構成し、また、摺動案内ローラ６０の外周を母線方向において移動オーガ筒１４の内周面に合わせた円弧面に形成したことを特徴とするものである。
本発明は、グレンタンク４内の穀粒を排出する縦揚穀装置５に接続した固定オーガ７に手動操作により長さ方向に伸縮自在に移動オーガ８を取付けて横排出オーガ６を構成し、前記固定オーガ７の固定オーガ筒９の先端には横排出オーガ６内に設けたオーガ螺旋の搬送方向中間部を軸装する中間側軸受部１１を設け、該中間側軸受部１１またはその付近の固定オーガ筒９には、移動オーガ筒１４の摺動を支持案内する横軸６１回転の摺動案内ローラ６０を設け、該摺動案内ローラ６０は横軸６１に軸装した金属ローラ６２の前記移動オーガ筒１４との接触面を合成樹脂層６３により被覆して構成した穀物排出装置としたものであるため、機体を走行させて刈取部３により圃場の穀稈を刈取って脱穀装置２で脱穀し、脱穀した穀粒をグレンタンク４にて一時貯留し、グレンタンク４が一杯になると、圃場近傍の運搬車にまで移動し、縦揚穀装置５により揚穀し、揚穀した穀粒を横排出オーガ６により前記運搬車のタンクに放出する。
しかして、横排出オーガ６は、縦揚穀装置５に接続した固定オーガ７と、該固定オーガ７に伸縮自在に取付けた移動オーガ８とにより分割形成しているので固定オーガ７に対して移動オーガ８を移動させて横排出オーガ６を伸縮させて、横排出オーガ６の先端をトラックのタンクに位置合わせする。次に、排出作業が終了すると、横排出オーガ６は縮小させて格納し、次ぎの作業を再開する。
このとき、固定オーガ筒９の摺動案内ローラ６０が移動オーガ筒１４の内周に当接し、移動オーガ筒１４を固定オーガ筒９に対して伸縮させると、摺動案内ローラ６０が転動して移動オーガ筒１４を支持しながら摺動案内し、金属の移動オーガ筒１４と摺動案内ローラ６０の合成樹脂層６３の接触のため、移動オーガ筒１４の摩耗が抑制され、移動オーガ筒１４の破損・摺動不良を防止し、耐久性を向上させる。
また、本願はグレンタンク４内の穀粒を排出する縦揚穀装置５に接続した固定オーガ７に手動操作により長さ方向に伸縮自在に移動オーガ８を取付けて横排出オーガ６を構成し、前記固定オーガ７の固定オーガ筒９の先端には横排出オーガ６内に設けたオーガ螺旋の搬送方向中間部を軸装する中間側軸受部１１を設け、該中間側軸受部１１またはその付近の固定オーガ筒９には、移動オーガ筒１４の摺動を支持案内する横軸６１回転の摺動案内ローラ６０を設け、該摺動案内ローラ６０の外周は該摺動案内ローラ６０の母線方向において前記移動オーガ筒１４の内周面に合わせた円弧面に形成した穀物排出装置としたものであり、移動オーガ筒１４の伸縮に際して摺動案内ローラ６０の外周が母線方向において移動オーガ筒１４の円周方向の内面に密着状態で支持しながら摺動案内し、摺動案内ローラ６０および移動オーガ筒１４の一部に応力が集中するのを回避する。
そのため、移動オーガ筒１４の荷重や振動による摺動案内ローラ６０の摩耗や割れの破損を防止し、移動オーガ筒１４の摺動抵抗も軽減して伸縮操作も円滑に軽くしている。
【発明の効果】
【０００５】
請求項１では、摺動案内ローラ６０の接触面に合成樹脂層６３を設けることで、接触抵抗を減少させ、伸縮操作の操作力を軽減させ、移動オーガ筒１４の摩耗も抑制され、移動オーガ筒１４の破損・摺動不良を防止し、耐久性を向上させる。
請求項２では、摺動案内ローラ６０の外周が母線方向において移動オーガ筒１４の内周に全体的に接触し、一部に応力が集中するのを回避し、摺動案内ローラ６０の外周の面圧を低くなるように構成し、移動オーガ筒１４の荷重や振動による摺動案内ローラ６０の摩耗や割れの破損を防止でき、また、移動オーガ筒１４の摺動抵抗も軽減して伸縮操作も円滑に軽くなる。
請求項３では、移動オーガ筒１４の摩耗も抑制され、移動オーガ筒１４の破損・摺動不良を防止し、耐久性を向上させるだけでなく、摺動案内ローラ６０の外周の面圧を低くして、移動オーガ筒１４の荷重や振動による摺動案内ローラ６０の摩耗や割れの破損を防止でき、また、移動オーガ筒１４の摺動抵抗も軽減して伸縮操作も円滑に軽くなる。
【実施例１】
【０００６】
本発明の一実施例を図により説明すると、１は走行装置、２は走行装置１の上方に設けた脱穀装置、３は脱穀装置２の前方に設けた刈取部、４は脱穀装置２の側部に設けたグレンタンク、５はグレンタンク４内の穀粒を排出する縦揚穀装置、６は横排出オーガである。
前記横排出オーガ６は、前記縦揚穀装置５に接続した固定オーガ７と、該固定オーガ７に伸縮自在に取付けた移動オーガ８とにより分割形成する。前記固定オーガ７の固定オーガ筒９の基部と縦揚穀装置５との接続部分は公知であり、横排出オーガ６の先端が上下動自在および縦揚穀装置５の軸心を中心に旋回するように構成する。固定オーガ筒９内には固定オーガ螺旋１０を設ける。固定オーガ螺旋１０の基部は縦揚穀装置５内の縦揚穀螺旋（図示省略）と接続し、固定オーガ螺旋１０の先端は固定オーガ筒９に設けた中間側軸受部１１に軸装する。
前記移動オーガ８の移動オーガ筒１４は固定オーガ筒９の外周に移動自在に嵌合させ、移動オーガ筒１４内には伸縮螺旋１５を設ける。伸縮螺旋１５の構成も任意であるが、一例を示すと、前後方向（伸縮方向を説明の都合上「前後」とする）の筒形状の移動部材１６の前後端に夫々前後方向に突き出るように板状の係合部材１７を形成し、係合部材１７の前後両端には夫々前後側係合部１８、１９を形成し、移動部材１６の前後の係合部材１７の外面には前後両端に亘って移動側螺旋翼２０を形成して一つの移動螺旋ピース２１を構成し、各移動螺旋ピース２１は、夫々の移動部材１６に形成した異径形状の異径挿通孔を、外周面が異径挿通孔と同一形状の伝達軸部材２３に摺動のみ自在に挿通して伸縮螺旋１５を構成する。
この場合、前記各移動螺旋ピース２１は、前後に位置する移動螺旋ピース２１の係合部材１７の前側係合部１８と後側係合部１９とが互いに係合するように組合せて伝達軸部材２３に挿通する。
【０００７】
しかして、移動螺旋ピース２１のうち基部側の移動螺旋ピース２１の後側係合部１９は固定オーガ螺旋１０側に、先端の移動螺旋ピース２１は伝達軸部材２３の先端側に、夫々任意の方法手段により係止する。伝達軸部材２３の先端は移動オーガ筒１４の先端に回転のみ自在に取付け、伝達軸部材２３の基部は固定オーガ螺旋１０の固定オーガ螺旋回転軸２４に摺動のみ自在に挿通する。
したがって、移動オーガ筒１４と共に伝達軸部材２３が伸長すると、最先端の移動螺旋ピース２１は伝達軸部材２３との係止部分により牽引され、次に、最先端の移動螺旋ピース２１の後側係合部１９が搬送方向上手側（後側）の移動螺旋ピース２１の前側係合部１８に係合して牽引して各移動螺旋ピース２１が伝達軸部材２３に対して移動し、反対に移動オーガ筒１４と共に伝達軸部材２３が縮小すると、最先端の移動螺旋ピース２１が後側の移動螺旋ピース２１を後側に押して各移動螺旋ピース２１が伝達軸部材２３に対して移動して間隔が縮小する。
しかして、前記移動オーガ筒１４は固定オーガ筒９に対して人力による手動操作により移動するようにし、所定位置にて移動オーガ筒１４の移動をロック（固定）するロック装置３０を設ける。ロック装置３０は、固定オーガ筒９の外周に当接するロック位置と固定オーガ筒９の外周より離隔するアンロック位置との間変位するロック体３１を設けて構成する。ロック体３１はゴム等の弾性部材により形成し、ロック体３１はアーム３２の先端に取付け、アーム３２の中間部を移動オーガ筒１４の下面に固定の取付部材３３に軸３４により回動自在に取付け、アーム３２の基部にロック操作ハンドル３５を取付ける。３６はロック体３１をロックするように付勢するバネであり、バネ３６はロック操作ハンドル３５を元の位置に戻すようにも作用する。
【０００８】
前記ロック体３１は移動オーガ筒１４の外側より透孔（図示省略）を出入りして固定オーガ筒９の外周と当接したロック位置と離脱したアンロック位置との間変位する。
前記ロック体３１は移動オーガ筒１４の長さ方向の何れの場所に設けてもよいが、最も伸長させたときに固定オーガ筒９と重合する部分の移動オーガ筒１４に設けると、いつでもロックでき、好適である。
また、移動オーガ筒１４の先端の排出口４０を有する排出部４１にもロック装置３０の先端側ロック操作ハンドル４３を取付けると、排出口４０近傍で横排出オーガ６の伸縮操作が可能となって、操作性が向上し、好適である。先端側ロック操作ハンドル４３にはワイヤ等の操作伝達部材４４の一端を接続し、操作伝達部材４４の他端は前記ロック操作ハンドル３５に接続し、先端側ロック操作ハンドル４３は操作伝達部材４４を介してロック操作ハンドル３５を操作してロック操作する。
しかして、前記排出部４１には、前記固定オーガ螺旋１０および伸縮螺旋１５へ伝達する回転を入り切りさせるクラッチ５０の伝動操作レバー５１を設ける。伝動操作レバー５１にはワイヤ等の操作伝達部材５２の一端を接続し、操作伝達部材５２の他端は前記クラッチ５０に接続する。５３は前記操作伝達部材５２の中間部に設けたテンション機構であり、前記横排出オーガ６の伸縮に伴って伝動操作レバー５１とクラッチ５０との間の距離の変動に対応させるようにしたものである。実施例では、多数のコマ部材５４をピン５５により連結し、この連結したコマ部材５４を円形状に配置し、連結したコマ部材５４の一端を固定オーガ筒９側に接続し、他端を移動オーガ筒１４側に接続し、このコマ部材５４の円の内周側に操作伝達部材５２を這わせ、コマ部材５４の直径を変更することで、常時、操作伝達部材５２を緊張させるように付勢するように構成している。
【０００９】
図１１は前記クラッチ５０を含む伝動経路を示したものであり、５６はエンジン、５７は縦揚穀装置５の揚穀螺旋、５８は揚穀螺旋５７と固定オーガ螺旋１０との間に設けた中間接続螺旋である。
しかして、固定オーガ筒９の中間側軸受部１１の付近には、移動オーガ筒１４の摺動を支持案内する摺動案内ローラ６０を設ける。摺動案内ローラ６０は横軸６１に軸装する金属ローラ６２の前記移動オーガ筒１４との接触面を合成樹脂層６３により被覆して二重構造に構成して構成する。
横排出オーガ６の伸縮構成を手動操作にした場合、伸縮操作の操作力の軽減が要求され、一方、摺動案内ローラ６０の支持面積を大にして移動オーガ筒１４の支持の確実性を向上させると、移動オーガ筒１４と摺動案内ローラ６０との接触抵抗が大きくなって操作力が重くなる。
そのため、金属ローラ６２の接触面に合成樹脂層６３を設けることで、接触抵抗を減少させ、伸縮操作の操作力を軽減させる。
また、接触面を合成樹脂層６３にすることで、移動オーガ筒１４の摩耗も抑制され、移動オーガ筒１４の破損・摺動不良を防止し、耐久性を向上させる。
実施例で前記摺動案内ローラ６０は、中間側軸受部１１を固定オーガ筒９に取付ける取付部材６５に横軸６１により軸装し、取付部材６５は円筒状のチューブメタル６４に取付ける。前記摺動案内ローラ６０は、その上面を、チューブメタル６４に設けた開口部６６から固定オーガ筒９外周より外側に突出させて、移動オーガ筒１４の内周面に当接させる。６７はチューブメタル６４の小径部、６８はチューブメタル６４のガイド部である。
【実施例２】
【００１０】
しかして、前記摺動案内ローラ６０の外周は、移動オーガ筒１４の内周の円弧形状に合わせた円弧面に構成する。
摺動案内ローラ６０の外周を円弧面に形成すると、移動オーガ筒１４の内周に摺動案内ローラ６０の外周の母線方向において全体的に接触し、一部に応力が集中するのを回避する。
そのため、摺動案内ローラ６０の外周の面圧を低くなるように構成し、移動オーガ筒１４の荷重や振動による摺動案内ローラ６０の摩耗や割れの破損を防止する。また、面圧を低くしているので、移動オーガ筒１４の摺動抵抗も軽減して伸縮操作も円滑に軽くなる。
【実施例３】
【００１１】
しかして、図１９〜図２１はシール部材７０に関する実施例であり、前記チューブメタル６４は固定オーガ筒９の先端に嵌合させて溶接固定する。チューブメタル６４の先側の外周を小径に形成した小径部６７にシール部材７０を設ける。シール部材７０は表面を起毛形状の面ファスナー７１により形成し、シール部材７０の下面に同じ大きさの基材７２を当てがって四周を互いに縫着７３して形成する。縫着７３したシール部材７０は、小径部６７の周囲に接着剤等の任意の手段により固定する。
面ファスナー７１は固定オーガ筒９の外周に移動オーガ筒１４を挿入するときには起毛状（ループ状）の各繊維部分が夫々根本より折れて厚みを減少させて挿入を円滑にし、挿入されると弾性復元して起毛状態となって固定オーガ筒９の外周と移動オーガ筒１４の内周との隙間を塞いで穀粒が漏れるのを防止している。このように移動オーガ筒１４の伸縮の度に面ファスナー７１は無数の起毛状（ループ状）の各繊維部分が折れたり起立したりするので、応力や摺動抵抗を分散させ、耐久性を向上指せる。
また、チューブメタル６４の下面側に位置する面ファスナー７１と基材７２の間には厚さ方向に弾性を有する不織布等に形成した下面側部材７４を挟んで形成する。下面側部材７４はシール部材７０の下面側の厚みを厚くして、移動オーガ筒１４が伸長して先端が自重で下がることで、生じる隙間の発生を抑制している。
即ち、移動オーガ筒１４を伸長させて先端が垂れ下がると、移動オーガ筒１４の下側内周面と固定オーガ筒９の外周下面との間に隙間ができ、この隙間を塞ぐためにシール部材７０全体厚さ（肉厚）を厚くすると、摺動抵抗が増加し、薄くすると隙間ができるが、本願ではシール部材７０の下面側に下面側部材７４を上下に挟んでシール部材７０の下面側の厚みのみを厚くして部分を厚くし、横部分は薄くできるので、抵抗を余り増加させずに、穀粒漏れを防止する。
【実施例４】
【００１２】
しかして、図２３、２４はシール部材シール部材７０に関する他の実施例であり、シール部材７０は合成樹脂によりリング形状に形成する。シール部材７０はチューブメタル６４小径部６７に嵌合するガイド部７６を形成し、該ガイド部７６より先端側には先方に突き出る舌片部７７を全周に亘って設けて構成する。ガイド部７６はチューブメタル６４の外径より大径に形成して移動オーガ筒１４の内周に密着して、移動オーガ筒１４の摺動を案内するガイド作用を奏する。
前記舌片部７７は、先端に至るに従い薄くなるように形成すると共に、先端に至るに従い直径を大にして固定オーガ筒９の外周より外側に位置するように構成する。
そのため、舌片部７７は移動オーガ筒１４の内径より外側に位置し、舌片部７７は弾性変形させて移動オーガ筒１４内に挿入して常時移動オーガ筒１４の内周面に当接させ、穀粒が漏れるのを防止し、製造誤差（公差内）による移動オーガ筒１４の内径の変化にも追随して当接する。
【実施例５】
【００１３】
しかして、図２５はシール部材７０に関する他の実施例であり、チューブメタル６４にはその前後中間部に移動オーガ筒１４の内周に密着して、移動オーガ筒１４の摺動を案内するガイド部材８０を設ける。ガイド部材８０は合成樹脂により形成してチューブメタル６４の外周に嵌合させる。ガイド部材８０の先側のチューブメタル６４は、ガイド部材８０を設けた部分よりも更に小径に形成した小径部６７に形成し、該小径部６７には穀粒が漏れるのを防止するシール部材７０を設ける。シール部材７０の構成は任意であり、実施例ではブラシ状に形成しているが、穀粒の漏れが防止できればよい。
シール部材７０はガイド部材８０を設けた部分よりも更に小径の小径部６７に設けているから、移動オーガ筒１４の伸縮の際の抵抗を厚み方向に分散させられ、破損や剥離を防止する。
【実施例６】
【００１４】
しかして、図２６はシール部材７０に関する他の実施例であり、固定オーガ筒９にチューブメタル６４を取付け、固定オーガ筒９の搬送方向を基準にチューブメタル６４の後側の固定オーガ筒９の外周部分には穀粒が漏れるのを防止するシール部材７０を設ける。シール部材７０の構成は任意であり、実施例ではブラシ状に形成しているが、穀粒の漏れが防止できればよく、面ファスナー７１でもよい。
シール部材７０は固定オーガ筒９の外周に設けることにより、移動オーガ筒１４の内周面との厚みを厚くすることがで、移動オーガ筒１４の伸縮の際の抵抗を厚み方向に分散させられ、破損や剥離を防止する。
【実施例７】
【００１５】
しかして、従前の移動オーガ筒１４は、油圧・電気等の動力により作動するアクチュエータで伸縮させていたので、比較的長さを長く形成でき、しかも、固定オーガ筒９の外周に嵌合させていたので、複数に分割したものを各合わせ面で連結して構成しても、特に問題は発生しないが、手動により伸縮させる構成を採用したときには、全ての点で軽量化することが望ましい。
そこで、本願の移動オーガ筒１４は、移動オーガ筒１４の先端に設ける排出口４０を有する排出部４１は除いて一本の筒部材により構成する。したがって、移動オーガ筒１４は各合わせ面がないので、この部分が原因の振動発生がなく、また、終始同径に加工するのも容易であり、搬送も円滑になり、また、軽量化できて伸縮操作も容易になる。
【００１６】
（各実施例の作用）
機体を走行させて刈取部３により圃場の穀稈を刈取って脱穀装置２で脱穀し、脱穀した穀粒をグレンタンク４にて一時貯留し、グレンタンク４が一杯になると、圃場近傍の運搬車にまで移動し、縦揚穀装置５により揚穀し、揚穀した穀粒を横排出オーガ６により前記運搬車のタンクに放出する。
前記横排出オーガ６は、縦揚穀装置５に接続した固定オーガ７と、該固定オーガ７に伸縮自在に取付けた移動オーガ８とにより分割形成しているから、固定オーガ７に対して移動オーガ８を移動させて横排出オーガ６を伸縮させると、横排出オーガ６の先端をトラックのタンクに位置合わせするのが容易となる。
また、排出作業が終了すると、横排出オーガ６は縮小させて格納し、次ぎの作業を再開するので、作業の邪魔にならず、作業性を向上させる。
しかして、横排出オーガ６には伸縮螺旋１５を設け、縮螺旋１５は前後方向の円筒形状の移動部材１６と、移動部材１６の外周に固定した前後方向に長い板形状の係合部材１７と、係合部材１７の前後両端の外面に固定した移動側螺旋翼２０により構成した移動螺旋ピース２１を、各移動螺旋ピース２１の係合部材１７の前後両端の前側係合部１８と後側係合部１９とが互いに係合するように伝達軸部材２３に順に挿通して構成しているから、移動オーガ筒１４が伸長すると、移動オーガ筒１４の先端側の移動螺旋ピース２１はその後側係合部１９が後側の移動螺旋ピース２１の前側係合部１８を牽引するまで、伝達軸部材２３に対して移動し、後側の移動螺旋ピース２１はその後側の移動螺旋ピース２１の前側係合部１８を牽引するまで、伝達軸部材２３に対して移動し、これを反復して、各移動螺旋ピース２１の移動側螺旋翼２０の間隔（ピッチ）が広くなって、移動オーガ筒１４の伸長に対応して伸縮螺旋１５も伸長する。
【００１７】
そして、四角形や五角形の多角形状や、所謂小判型形状等の異径形状に形成した伝達軸部材２３に、移動螺旋ピース２１の移動部材１６に形成した異径挿通孔を挿通しているから、各移動螺旋ピース２１は伝達軸部材２３の軸方向に移動するが、伝達軸部材２３の回転が伝達されると、各移動螺旋ピース２１の移動側螺旋翼２０は回転して穀粒を搬送する。
しかして、前記移動オーガ筒１４は固定オーガ筒９に対して人力による手動操作により移動するようにし、所定位置にて移動オーガ筒１４の移動をロック（固定）するロック装置３０を設けているから、ロック操作ハンドル３５を握ると、アーム３２を軸３４中心にシーソーのように回動させ、アーム３２はロック体３１を固定オーガ筒９の外周より離してアンロック状態にし、この状態で移動オーガ筒１４を固定オーガ筒９に対して移動させて伸縮させ、所望位置にてロック操作ハンドル３５を離すとバネ３６の弾力により元の位置に戻り、これによりアーム３２を回動させ、ロック体３１を固定オーガ筒９の外周に押し付けてロックする。
また、移動オーガ筒１４の先端の排出口４０を有する排出部４１の先端側ロック操作ハンドル４３を操作すると、操作伝達部材４４が牽引され、前記ロック操作ハンドル３５を握ったのと同じアンロック状態になり、ロック体３１を固定オーガ筒９の外周より離して伸縮操作を行い、所望位置にて先端側ロック操作ハンドル４３を離すと、ロック体３１がバネ３６の弾力により固定オーガ筒９の外周に当接（押し付け）してロックする。
したがって、先端側ロック操作ハンドル４３の存在により排出口４０近傍で横排出オーガ６の伸縮操作が可能となって、操作性が向上し、好適である。
【００１８】
しかして、排出部４１に設けた伝動操作レバー５１を操作すると、操作伝達部材５２がこの伝動操作レバー５１の操作をクラッチ５０に伝えてクラッチ５０を入りにし、縦揚穀装置５および横排出オーガ６を作動させて穀粒を排出させる。
この場合、固定オーガ筒９に対して移動オーガ筒１４が移動することで横排出オーガ６の全長が長短変化し、伝動操作レバー５１とクラッチ５０との間の距離が変動することになるが、操作伝達部材５２の中間部には多数のコマ部材５４をピン５５により連結し、連結した円形状のコマ部材５４の一端を固定オーガ筒９側に接続し、他端を移動オーガ筒１４側に接続したテンション機構３０を設けているから、横排出オーガ６の伸縮に伴って円形状のコマ部材５４の直径を変化させて常時、操作伝達部材５２を緊張させる。
なお、前記した各実施例は、理解を容易にするために、個別または混在させて図示、あるいは説明しているが、これらは特に記載しない場合でも夫々種々組合せ可能であり、これらの表現によって、構成・作用等が限定されるものではなく、また、相乗効果を奏する場合も勿論存在する。
【図面の簡単な説明】
【００１９】
【図１】コンバイン側面図。
【図２】横排出オーガの縦断側面図。
【図３】伸縮螺旋の螺旋ピースの斜視図。
【図４】複数の螺旋ピースの斜視図。
【図５】伸縮螺旋の斜視図。
【図６】中間側軸受部部分の断面図。
【図７】ロック装置部分の側面図（アンロック状態）。
【図８】ロック装置部分の側面図（ロック状態）。
【図９】先端側ロック操作ハンドルを示した側面図（アンロック状態）。
【図１０】先端側ロック操作ハンドルを示した側面図（ロック状態）。
【図１１】穀粒排出用クラッチの概略図。
【図１２】同操作部材のテンション機構の側面図。
【図１３】同作用状態図。
【図１４】同作用状態説明図。
【図１５】摺動案内ローラの縦断側面図（実施例１）。
【図１６】同断面図（実施例１）。
【図１７】同斜視図（実施例１）。
【図１８】同他の実施例の断面図（実施例２）。
【図１９】シール部材の実施例の平面図（実施例３）。
【図２０】同断面図（実施例３）。
【図２１】同固定オーガ筒の正面図（実施例３）。
【図２２】同断面図（実施例３）。
【図２３】シール部材の他の実施例の平面図（実施例４）。
【図２４】同シール部材の装着前の断面図（実施例４）。
【図２５】シール部材の他の実施例の平面図（実施例５）。
【図２６】シール部材の他の実施例の平面図（実施例６）。
【図２７】移動オーガ筒の実施例の側面図（実施例７）。
【符号の説明】
【００２０】
１…走行装置、２…脱穀装置、３…刈取部、４…グレンタンク、５…縦揚穀装置、６…横排出オーガ、７…固定オーガ、８…移動オーガ、９…固定オーガ筒、１０…固定オーガ螺旋、１１…中間側軸受部、１２…外側軸受部材、１３…伸縮作動軸部材、１４…移動オーガ筒、１５…伸縮螺旋、１６…移動部材、１７…係合部材、１８…前側係合部、１９…後側係合部、２０…移動側螺旋翼、２１…移動螺旋ピース、２２…異径挿通孔、２３…伝達軸部材、３０…ロック装置、３１…ロック体、３２…アーム、３３…取付部材、３４…軸、３５…ロック操作ハンドル、４０…排出口、４１…排出部、４３…先端側ロック操作ハンドル、４４…操作伝達部材、５０…クラッチ５０、５１…伝動操作レバー、５２…操作伝達部材、５３…テンション機構、５４…コマ部材、５５…ピン、５６…エンジン、５７…揚穀螺旋、５８…中間接続螺旋、６０…摺動案内ローラ、６１…横軸、６２…金属ローラ、６３…合成樹脂層、６４…チューブメタル、６５…取付部材、６６…開口部、６７…小径部、７０…シール部材、７１…面ファスナー、７２…基材、７３…縫着、７４…下面側部材、７６…ガイド部、７７…舌片部、８０…ガイド部材。
【図１】
2005040090.tif 000003
【図２】
2005040090.tif 000004
【図３】
2005040090.tif 000005
【図４】
2005040090.tif 000006
【図５】
2005040090.tif 000007
【図６】
2005040090.tif 000008
【図７】
2005040090.tif 000009
【図８】
2005040090.tif 000010
【図９】
2005040090.tif 000011
【図１０】
2005040090.tif 000012
【図１１】
2005040090.tif 000013
【図１２】
2005040090.tif 000014
【図１３】
2005040090.tif 000015
【図１４】
2005040090.tif 000016
【図１５】
2005040090.tif 000017
【図１６】
2005040090.tif 000018
【図１７】
2005040090.tif 000019
【図１８】
2005040090.tif 000020
【図１９】
2005040090.tif 000021
【図２０】
2005040090.tif 000022
【図２１】
2005040090.tif 000023
【図２２】
2005040090.tif 000024
【図２３】
2005040090.tif 000025
【図２４】
2005040090.tif 000026
【図２５】
2005040090.tif 000027
【図２６】
2005040090.tif 000028
【図２７】
2005040090.tif 000029